(57)【要約】【課題】振動効率の低下を抑制して良好な触感を呈示しつつ、信頼性の高い触覚伝達型の表示装置を提供する。【解決手段】表示部を有する表示パネルと、それを覆うように設けられ、表示パネルに臨む側とは反対側に操作面１１ａを有する操作パネルと、それに配設される振動体１３ａ，１３ｂと、操作パネルの操作面１１ａとは反対側に、操作パネルに間隔をあけて対向して配設される支持体と、操作パネルと支持体との間に配設され、振動体１３ａ，１３ｂの振動に対して弾性変形可能な弾性支持部材５０ａ〜５０ｄと、操作パネルと支持体にわたって、表示部を外囲するように配設される可動封止部材６０とを備える。可動封止部材６０は、表示パネルと支持体との間の空間を含む、表示部の外周の空間を封止し、振動体１３ａ，１３ｂの振動に対して変形可能であり、操作面１１ａに近い側で折り返された第１折返し部と、操作面から遠い側で折り返された第２折返し部と、を有する。【選択図】図２
2018169809.tif 000002
【特許請求の範囲】
【請求項１】
表示部を有する基板と、
前記基板に配設される振動体と、
前記基板に間隔をあけて対向して配設される支持体と、
前記基板と前記支持体との間に配設され、前記振動体の振動に対して弾性変形可能な弾性支持部材と、
前記基板と前記支持体にわたって、前記表示部を外囲するように配設され、前記基板と前記支持体との間の空間を含む、前記表示部の外周の空間を封止し、前記振動体の振動に対して変形可能な可動封止部材と、を備え、
前記可動封止部材は、前記基板に近い側で折り返された第１折返し部と、前記基板から遠い側で折り返された第２折返し部と、を有していることを特徴とする表示装置。
【請求項２】
前記第１折返し部および前記第２折返し部における、それぞれの折返し端で折り返す折返し角は、いずれも鋭角であることを特徴とする請求項１に記載の表示装置。
【請求項３】
前記第１折返し部および前記第２折返し部は、いずれも折返し端で曲線状を成して折り返していることを特徴とする請求項１または２に記載の表示装置。
【請求項４】
前記第１折返し部における前記折返し角は、前記第２折返し部における前記折返し角よりも小さいことを特徴とする請求項２または３に記載の表示装置。
【請求項５】
前記表示部は、液晶表示部であることを特徴とする請求項１〜４のいずれか１つに記載の表示装置。
【請求項６】
前記支持体は、バックライト装置を含むことを特徴とする請求項５に記載の表示装置。
【請求項７】
表示部を有する表示パネルと、
前記表示パネルを覆うように設けられ、前記表示パネルに臨む側とは反対側に操作面を有する操作パネルと、
前記操作パネルに配設される振動体と、
前記操作パネルの操作面とは反対側に、前記操作パネルに間隔をあけて対向して配設される支持体と、
前記操作パネルと前記支持体との間に配設され、前記振動体の振動に対して弾性変形可能な弾性支持部材と、
前記操作パネルと前記支持体にわたって、前記表示部を外囲するように配設され、前記表示パネルと前記支持体との間の空間を含む、前記表示部の外周の空間を封止し、前記振動体の振動に対して変形可能な可動封止部材とを備え、
前記可動封止部材は、前記操作面に近い側で折り返された第１折返し部と、前記操作面から遠い側で折り返された第２折返し部と、を有していることを特徴とする表示装置。
【発明の詳細な説明】
【技術分野】
【０００１】
本発明は、振動によって触感を呈示する表示装置に関する。
【背景技術】
【０００２】
近年、スマートフォン、タブレット型ＰＣ等の携帯情報機器や、電子レンジ、テレビ、照明器具等の家電製品等の各種の民生用機器、さらには、現金自動預け払い機、自動券売機、自動販売機等の各種の産業用機器において、操作者に振動による触感を呈示するタッチパネルが搭載されつつある。
【０００３】
例えば、特許文献１に記載されている従来技術では、振動により触感を呈示する触感呈示部と、触感呈示部が振動した際に、触感呈示部の触感呈示面とは反対側の空間の気圧を制御する気圧制御部と、を備えており、気圧制御部に、気圧制御用の通気孔を設けたタッチパネルが開示されている。
【先行技術文献】
【特許文献】
【０００４】
【特許文献１】特開２０１４−６６７２号公報
【発明の概要】
【発明が解決しようとする課題】
【０００５】
触感呈示部を効率よく振動させ、良好な感触を呈示するためは、振動体によって生じた振動を減衰しにくくする必要があり、例えば、通気孔を流過する空気の流路抵抗を減らすために、通気孔を大きくしたり、その数を増やしたりする対策が考えられるが、そうすると、筐体内にごみが侵入しやすくなり、表示部に悪影響を与えるおそれがある。そこで、防塵機能又は防水機能を付与するために、通気孔をスポンジ，ゴアテックス（登録商標）等から成る多孔フィルタによって閉塞する構成が開示されている。しかしながら、本件発明者の実験の結果、上記の多孔フィルタを用いた場合、周波数が３０Ｈｚ〜３００Ｈｚ程度で振幅が３０μｍ〜１０００μｍ程度である触覚振動に適した振動を伴う触感呈示装置内の空間の気圧変化を抑えることができる、良好な通気性を得ることが、難しいことが判明した。従って、上述の従来の触感呈示装置においては、所望の振幅で振動させるのにより多くの電力を必要とするため、振動体による振動の効率が低下し、消費電力が増加するおそれがあった。本発明の目的は、振動効率の低下を抑制して良好な触感を呈示しつつ、信頼性の高い触覚伝達型の表示装置を提供することである。
【課題を解決するための手段】
【０００６】
本発明の表示装置は、表示部を有する基板と、前記基板に配設される振動体と、前記基板に間隔をあけて対向して配設される支持体と、前記基板と前記支持体との間に配設され、前記振動体の振動に対して弾性変形可能な弾性支持部材と、前記基板と前記支持体にわたって、前記表示部を外囲するように配設され、前記基板と前記支持体との間の空間を含む、前記表示部の外周の空間を封止し、前記振動体の振動に対して変形可能な可動封止部材と、を備え、前記可動封止部材は、前記基板に近い側で折り返された第１折返し部と、前記基板から遠い側で折り返された第２折返し部と、を有していることを特徴とするものである。
【０００７】
また本発明の表示装置は、表示部を有する表示パネルと、前記表示パネルを覆うように設けられ、前記表示パネルに臨む側とは反対側に操作面を有する操作パネルと、前記操作パネルに配設される振動体と、前記操作パネルの操作面とは反対側に、前記操作パネルに間隔をあけて対向して配設される支持体と、前記操作パネルと前記支持体との間に配設され、前記振動体の振動に対して弾性変形可能な弾性支持部材と、前記操作パネルと前記支持体にわたって、前記表示部を外囲するように配設され、前記表示パネルと前記支持体との間の空間を含む、前記表示部の外周の空間を封止し、前記振動体の振動に対して変形可能な可動封止部材とを備え、前記可動封止部材は、前記操作面に近い側で折り返された第１折返し部と、前記操作面から遠い側で折り返された第２折返し部と、を有していることを特徴とするものである。
【発明の効果】
【０００８】
本発明の表示装置によれば、振動体から生じた振動によって可動封止部材の内側の空間の体積および気圧が変動しようとしても、その空間の体積および気圧の変動を抑えるように、第１折返し部および第２折返し部を有する可動封止部材が厚み方向およびこれに直交する方向に伸縮変形する。その結果、振動体から生じた振動が減衰しにくくなるので、振動効率の低下を抑制して消費電力が増加することを抑えることができる。また、振動体から生じた振動が可動封止部材を介して筐体に伝搬し難くなるので、その点においても表示装置における振動の効率が低下することを抑制することができる。
【図面の簡単な説明】
【０００９】
【図１】第１実施形態における表示装置の一例を示す平面図である。
【図２】第１実施形態における表示装置の一例を示す断面図である。
【図３】第１実施形態における可動封止部材の近傍の空気の動きを説明するための拡大断面図である。
【図４】第１実施形態における可動封止部材の拡大概略図である。
【図５】第２実施形態における可動封止部材の拡大概略図である。
【図６】第３実施形態における可動封止部材の拡大概略図である。
【発明を実施するための形態】
【００１０】
以下、本発明の実施形態に係る表示装置について、図面を用いて説明する。なお、以下で参照する各図には、本発明に係る表示装置の構成部材のうち、本発明の特徴を説明するために必要な主要な構成部材を示している。従って、本発明に係る表示装置は、各図に示されていない配線、回路基板等の周知の構成部材を備えていてもよい。また、以下の説明において、“〜上“のように、上下を区別して記載しているが、これは便宜的なものであり、実際に表示装置等が使用される際の上下を限定するものではない。
【００１１】
（第１実施形態）
図１は、第１実施形態の表示装置の一例を示す平面図である。また、図２は本実施形態の表示装置の一例を示す断面図であり、図１の表示装置の振動体１３ａ，１３ｂを含む断面を模式的に示すものである。図２においては、表示装置の厚み方向は、説明のために拡大されて示されている。表示装置の一例である液晶表示装置１は、操作パネルの一例である透明なタッチパネル１０の背面に、表示パネルの一例である液晶表示パネル２０を配設し、さらに液晶表示パネル２０の背面に支持体の一例であるバックライト装置３０を配設し、タッチパネル１０、液晶表示パネル２０およびバックライト装置３０を筐体４０に収容して構成されている。
【００１２】
図１、図２に示す本実施形態の表示装置において、液晶表示部等の表示部を有する基板は、例えば、ガラス基板、プラスチック基板等から成る透明保護板１１の一方の主面（裏面）の側に、接触検知部１２と液晶表示パネル２０が積層配置された複合的な構成を有する基板である。
【００１３】
表示部を備えた表示パネルは、例えば液晶表示パネル２０であるが、液晶表示パネル２０に限らず、有機ＥＬ（Electro  Luminescence）表示パネル、無機ＥＬ表示パネル、発光ダイオード（ＬＥＤ）表示パネルなどの自発光型表示パネルであってもよい。
【００１４】
振動体１３ａ，１３ｂは、基板を構成する透明保護板１１の裏面の周縁部（辺部）であって、平面視で液晶表示パネル２０の外側の部位に、配設されている。また振動体１３ａ，１３ｂは、それぞれ互いに対向する位置に配設されている。この場合、振動体１３ａ，１３ｂによる振動が、基板全体に均一に生じやすい。また振動体１３ａ，１３ｂは、透明保護板１１の他方の主面（表面）の側に配設されてもよい。
【００１５】
支持体は、バックライト装置３０の導光板３１から成る支持基板である。そして、導光板３１の液晶表示パネル２０の反表示面２０ｂに対向する面（光照射面）の周縁部に、枠体３２の張り出し部（鍔部）があり、その張り出し部において、弾性支持部材５０ａ，５０ｂ，５０ｃ，５０ｄを介して透明保護板１１を支持している。
【００１６】
タッチパネル１０を構成する接触検知部１２は、バックライト装置３０の導光板３１に対して、導光板３１の厚み方向に間隔をあけて平行に配設されている。タッチパネル１０において、操作面１１ａは、透明保護板１１の導光板３１側とは反対側の面（操作者側の面、視認者側の面）であり、接触検知部１２は、透明保護板１１の操作面１１ａ側とは反対側の裏面１１ｂ上に配設されている。
【００１７】
タッチパネル１０は、矩形状のガラス板やプラスチック板で構成された透明保護板１１に接触検知部１２を配設して構成されている。透明保護板１１は、例えば平面視において矩形状であって、ガラス板、プラスチック板などで構成することができる。透明保護板１１の平面視形状は、矩形状に限らず、三角形状、五角形状等の多角形状、台形状、これらの形状において角部が曲線状とされた形状等であってもよく、さらには円形状、楕円形状等の全体的に曲線状の形状であってもよい。透明保護板１１は、操作者が指Ｆやタッチペンなどで触れることによって操作する操作面１１ａを有している。透明保護板１１の縁部と筐体４０の間には隙間があり、空気が流通することができる。
【００１８】
操作面１１ａとは反対側の透明保護板１１の裏面１１ｂ上には、接触検知部１２が設けられている。接触検知部１２は、薄膜状であって、例えばその平面視形状は、透明保護板１１よりも小さい矩形状である。接触検知部１２の平面視形状は、上記の透明保護板１１の種々の平面視形状に相似的な形状であってもよい。接触検知部１２は、操作面１１ａに触れた指Ｆやタッチペンなどの位置を検出することができる。検出方法としては、静電容量方式、抵抗膜方式などを用いることができる。本実施形態においては、接触検知部１２は、透明保護板１１と液晶表示パネル２０との間に配設されているが、接触検知部１２は、液晶表示パネル２０内に内蔵されていてもよく、または液晶表示装置外に付与されていてもよい。
【００１９】
本実施形態の表示装置は、接触検知部１２は必ずしもある必要はなく、なくてもよい。例えば、圧電体等から成る振動体１３ａ，１３ｂ自体が、指Ｆやタッチペンなどの接触による変位を検知する構成であれば、接触検知部１２はなくてもよい。
【００２０】
透明保護板１１の裏面１１ｂには、複数の振動体である振動体１３ａ，１３ｂが設けられている。例えば、振動体１３ａ，１３ｂは、透明保護板１１の矩形状の操作面１１ａに対向する２辺に沿ってそれぞれ設けられている。また、振動体１３ａ，１３ｂは、平面視において、矩形状の透明保護板１１の操作面１１ａの中心Ｐに関して点対称な位置に配設されている。振動体１３ａ，１３ｂは、透明保護板１１に直接接触するように配設して、透明保護板１１に直接振動を伝達してもよいが、他の部材を介在させて透明保護板１１に配設して、間接的に振動を伝達してもよい。また、操作者が指Ｆやタッチペンなどで操作面１１ａに触れると、接触検知部１２が接触位置を検知し、検知情報に基づいて振動体１３ａ，１３ｂによって操作面１１ａに振動が伝達されるので、指Ｆやタッチペンを介して操作者に振動を伝えることができる。
【００２１】
振動体１３ａ，１３ｂは、例えば、セラミック圧電体，ポリマー圧電体等の圧電体等から成る圧電素子、偏心モーター、リニアバイブレータ、形状記憶合金等から構成される。セラミック圧電体の材料としては、チタン酸バリウム（ＢａＴｉＯ３）、チタン酸鉛（ＰｂＴｉＯ３）、チタン酸ジルコン酸鉛（Ｐｂ［ＺｒｘＴｉ１−ｘ］Ｏ３  ０＜ｘ＜１  混晶：ＰＺＴ）、ニオブ酸カリウム（ＫＮｂＯ３）、ニオブ酸リチウム（ＬｉＮｂＯ３）、タンタル酸リチウム（ＬｉＴａＯ３）、タングステン酸ナトリウム（ＮａｘＷＯ３）、酸化亜鉛（ＺｎＯ，Ｚｎ２Ｏ３）、Ｂａ２ＮａＮｂ５Ｏ５、Ｐｂ２ＫＮｂ５Ｏ１５、リチウムテトラボレート（Ｌｉ２Ｂ４Ｏ７）、ニオブ酸ナトリウムカリウム（（Ｋ，Ｎａ）ＮｂＯ３）、チタン酸ビスマスナトリウム（Ｎａ０．５Ｂｉ０．５ＴｉＯ３）等が採用できる。ポリマー圧電体の材料としては、ポリフッ化ビニリデン（１，１−２  フッ化エタン重合体：ＰＶＤＦ）等が採用できる。
【００２２】
振動体１３ａ，１３ｂで発生する振動の周波数は３０Ｈｚ〜３００Ｈｚ程度であり、人の指で良好な触感が得られる触覚振動としては、１５０Ｈｚ〜２５０Ｈｚ程度が好ましい。振動の振幅は３０μｍ〜１０００μｍ程度であり、人の指で良好な触感が得られる触覚振動としては、５０μｍ〜１５０μｍ程度が好ましい。振動体１３ａ，１３ｂの外観形状は、直方体、立方体、板状体および円柱状等の柱状体等の形状とすることができる。振動体１３ａ，１３ｂは、透明保護板１１に直接取り付けても良いし、金属や樹脂などの振動伝達部材を介して間接的に取り付けてもよい。また、タッチパネル１０を振動させることができる部分であれば、例えば、透明保護板１１の側面などに取り付けることも考えられる。
【００２３】
タッチパネル１０の操作面１１ａ側とは反対側に、液晶表示パネル２０が配設されている。液晶表示パネル２０は、例えば平面視でタッチパネル１０よりも小さい矩形状であり、タッチパネル１０は、液晶表示パネル２０を覆うように設けられている。液晶表示パネル２０の平面視形状は、上記の透明保護板１１の種々の平面視形状に相似的な形状であってもよい。液晶表示パネル２０は、表示面２０ａおよび反表示面２０ｂを有している。液晶表示パネル２０は、中央部に表示部２０ｃを備えており、表示部２０ｃに対応する表示面２０ａを覆うように接触検知部１２が配設されている。また、本実施形態においては、液晶表示パネル２０は、タッチパネル１０の裏面に接しているが、液晶表示パネル２０は、タッチパネル１０と間隔をあけて配設されていてもよい。
【００２４】
液晶表示パネル２０の反表示面２０ｂと間隔をあけて対向するように、バックライト装置３０が設けられている。バックライト装置３０は、導光板３１と、導光板３１の周縁に配設された枠体３２と、導光板３１を載置するとともに接地導体としても機能する導体板３３を含んでいる。バックライト装置３０は、バックライト装置３０に内蔵されたＬＥＤ等から成る光源からの光を、導光板３１を介して液晶表示パネル２０の方向に出射するように構成されている。枠体３２および導体板３３は、アルミニウムなどの金属で構成されている。
【００２５】
液晶表示パネル２０とバックライト装置３０との間の空間の間隔（高さ）が１ｍｍ〜５ｍｍ程度であることがよく、より好適には薄型化の点で１ｍｍ〜３ｍｍ程度であることがよい。そのような構造であれば、液晶表示パネル２０およびバックライト装置３０が、振動体１３ａ，１３ｂによる振動の障害になり難い。
【００２６】
筐体４０は、例えば平面視において矩形状であり、中央部の底面４０ａおよび底面４０ａの周縁部である枠部４０ｂを有している。底面４０ａ上にバックライト装置３０、液晶表示パネル２０およびタッチパネル１０が順に重なって配設されている。バックライト装置３０は、筐体４０の底面４０ａ上に載置され固定されている。底面４０ａの周縁の枠部４０ｂは、バックライト装置３０、液晶表示パネル２０およびタッチパネル１０の側面を保護している。筐体４０の材料としては、例えば、プラスチックや金属を使用することができる。
【００２７】
透明保護板１１の裏面１１ｂ上には、弾性支持部材５０ａ〜５０ｄが配設されている。本実施形態においては、矩形の透明保護板１１の４隅に、それぞれ弾性支持部材５０ａ，５０ｂ，５０ｃ，５０ｄが配設されている。弾性支持部材５０ａ〜５０ｄとしては、ウレタンゴム，シリコーンゴム等のゴム、樹脂などから成る振動体１３ａ，１３ｂの振動に追随して変位して、操作パネルの振動を減衰させ難い材質の部材を用いることができる。また、スプリングコイル、板バネなどのバネ部材を用いてもよい。
【００２８】
これらの弾性支持部材５０ａ〜５０ｄは、バックライト装置３０の枠体３２と操作パネルである透明保護板１１との間に配設されている。弾性支持部材５０ａ〜５０ｄは、透明保護板１１を支持している。また、弾性支持部材５０ａ〜５０ｄは、一端が枠体３２に接触し、他端が透明保護板１１の裏面１１ｂに接触している。弾性支持部材５０ａ〜５０ｄは、配設された位置が移動しないように枠体３２および透明保護板１１に接着材等によって固定して保持されている。操作パネルと表示パネルが一体的に形成されている場合には、弾性支持部材５０ａ〜５０ｄの一端が表示パネルの反表示面に固定され他端が支持体に固定されるような構造も可能である。
【００２９】
表示パネルとして液晶表示パネル２０を用いる場合には、バックライト装置３０を支持体として用いることができるが、例えば、有機ＥＬ（Electro  Luminescence）表示パネル、発光ダイオード（ＬＥＤ）表示パネルなどの自発光型パネルのように、導光板を含むバックライト装置を必要としない表示パネルを用いた場合においては、筐体４０を支持体としてもよい。
【００３０】
図１および図２に示されるように、透明保護板１１の裏面１１ｂと、バックライト装置３０の枠体３２との間にわたって、可動封止部材６０が設けられている。可動封止部材６０は、液晶表示パネル２０の表示部２０ｃを取り囲むように配設されている。すなわち、操作パネルと支持体にわたって、表示部２０ｃを外囲するように可動封止部材６０が配設されている。このように、可動封止部材６０は、表示部２０ｃを含む可動封止部材６０の内側の空間と可動封止部材６０の外側の空間とを仕切り、可動封止部材６０の内側の空間を封止する。
【００３１】
可動封止部材６０は、例えば、ポリエチレンテレフタラート（ＰＥＴ），トリアセチルセルロース（ＴＡＣ），ポリ塩化ビニル（ＰＶＣ），ポリビニルアルコール（ＰＶＡ），ポリプロピレン（ＰＰ）等の樹脂、強化紙（強化材としての樹脂等を含有する紙）等の可撓性を有する稠密な材料から成るフィルム状体に折返し部を付与したもの、あるいはシリコーンゴム、ウレタンゴム、アクリルゴム等のゴム等の柔軟で稠密な材料から成るシート状体に折返し部を付与したものである。折返し部の付与は、可動封止部材６０となるフィルム状体、シート状体の折返し部位を機械的に折り返す機械加工法、折返し部位を加熱しつつ機械的に折り返す加熱機械加工法、折返し部を構成するための空洞部を有する金型等の型の空洞部に液状の樹脂原料等を注入し硬化させるインジェクション法等の製造方法によって、行うことができる。また、折返し部の付与を容易とするために、フィルム状体、シート状体の内部に金属細線等の芯材を包含させてもよい。この構成により、可動封止部材６０が透明保護板１１における振動を減衰させて振動の障害となることを効果的に抑え、振動体１３ａ，１３ｂによる振動の効率の低下を抑制する。
【００３２】
図３は、本実施形態における可動封止部材６０の近傍の空気の動きを説明するための拡大断面図である。一般に、液晶表示パネル２０とバックライト装置３０との間は、液晶表示パネル２０とバックライト装置３０との間の空間Ｓに埃が入らないように気密性の高い構造であることが多いが、このような表示装置に振動体１３ａ，１３ｂを取り付けて触感を呈示する表示装置を構成すると、振動体１３ａ，１３ｂの振動によって気密性の高い液晶表示パネル２０とバックライト装置３０との間の空間Ｓの気圧の圧力変動が大きくなる。また、液晶表示パネル２０とバックライト装置３０の間の空間Ｓの気圧の圧力変動が、筐体４０など、触感を呈示すべき液晶表示パネル２０以外の部分にも伝わって使用感を損ねるおそれがある。また、振動が拡散、減衰して表示装置を効率良く振動させることが難しくなる場合がある。
【００３３】
そこで、可動封止部材６０として、振動体１３ａ，１３ｂの振動に対して弾性変形あるいは可撓性を有することによる変形等の変形が可能な部材を使用する。可動封止部材６０は、振動体１３ａ，１３ｂによる振動または指Ｆの押圧に起因する、可動封止部材６０の内側の空間Ｓの気圧の変動に伴って、厚み方向またはこれに直交する方向に伸縮変形するので、振動体１３ａ，１３ｂの振動は、減衰されにくくなる。また振動体１３ａ，１３ｂの振動は可動封止部材６０を介して筐体４０には伝わり難い。そのため、振動体１３ａ，１３ｂの振動が減衰しにくいとともに筐体４０などの部分に拡散せず、タッチパネル１０を効率よく振動させることができる。
【００３４】
図３は、特に動作を行なっていない標準状態を基準にして、透明保護板１１が、バックライト装置３０に近づくように変位した状態を表している。図中の矢印は空気の流れを示しており、空気は、透明保護板１１とバックライト装置３０との間の距離が狭くなったために、可動封止部材６０の内側の空間Ｓの中央部から外側に向かっている。透明保護板１１とバックライト装置３０との間の距離が狭くなったことに伴って、可動封止部材６０は、長さが短くなっている。また、上述の空気の流れ、およびそれによる可動封止部材６０の内側の空間Ｓの圧力が高くなったことに伴って、可動封止部材６０は、外側に膨らむように撓み変形している。逆に言えば、可動封止部材６０が、外側に膨らんで撓むように変形できることにより、可動封止部材６０の内側の空間Ｓの体積変化は少なくなる。透明保護板１１が、バックライト装置３０から遠ざかるように変位した状態では、可動封止部材６０が、内側に膨らむように撓み変形できることにより、可動封止部材６０の内側の空間Ｓの体積変化は少なくなる。これらの働きにより、可動封止部材６０の内側の空間Ｓの体積変化に伴う気圧変動が起き難くなるので、タッチパネル１０を効率よく振動させることができる。
【００３５】
このように、振動体１３ａ，１３ｂの振動による可動封止部材６０の内側の空間Ｓの気圧の圧力変動を緩和し、操作パネルである透明保護板１１の振動の減衰を抑制することができるので、透明保護板１１を効率よく振動させることができる。そのため、振動体１３ａ，１３ｂを駆動する電力が増大することを抑えることができる。
【００３６】
また、可動封止部材６０は、弾性支持部材５０ａ〜５０ｄのように、タッチパネル１０や液晶表示パネル２０を支持する必要がないので、弾性支持部材５０ａ〜５０ｄのような剛性は必要がなく、可動封止部材６０の内側の空間Ｓを封止することができれば、その厚さ（ｔ１）は薄くともよい。例えば、可動封止部材６０の厚さ（ｔ１）は、１０μｍ〜３００μｍ程度であり、特に、２５μｍ〜１００μｍであることが好ましい。
【００３７】
図４は、本実施形態における可動封止部材の拡大概略図である。可動封止部材６０ａは、操作面１１ａに近い側で折り返され、第１折返し端６１ａが空間Ｓの側にある第１折返し部６１と、操作面１１ａに遠い側で折り返され、第２折返し端６２ａが空間Ｓと反対側にある第２折返し部６２が設けられている。第１折返し端６１ａが空間Ｓと反対側にあり、第２折返し端６２ａが空間Ｓの側にあってもよい。すなわち、第１折返し端６１ａと第２折返し端６２ａは、可動封止部材６０ａの厚み方向に平行な中心線を挟んで、一方は空間Ｓの側（中心線よりも内側）にあり、他方は空間Ｓと反対側（中心線よりも外側）にある。２つの折返し部のそれぞれの折返し端６１ａ，６２ａの内角（「折返し角」ともいう）θ１，θ２は、いずれも鋭角（９０°未満）である。このように可動封止部材６０ａを構成することにより、可動封止部材６０ａによって封止される空間Ｓが振動体１３ａ，１３ｂの振動によって生じた気圧の変動に追従して、可動封止部材６０ａの第１折返し部６１および第２折返し部６２の角度を変えることにより可動封止部材６０ａが伸縮変形する。
【００３８】
可動封止部材６０ａに、折返し部が１か所しか存在しない場合、透明保護板１１とバックライト装置３０との距離が決まると、その１か所の折返し部の角度がある程度定まるため、可動封止部材６０ａの他の部分が変形しても、空間Ｓの体積変化を緩和する効果は小さい。可動封止部材６０ａに、第１折返し部６１および第２折返し部６２の少なくとも２か所の折返し部が存在すると、透明保護板１１とバックライト装置３０との距離が決まっても、第１折返し部６１および第２折返し部６２の角度には自由度が残っており、第１折返し部６１および第２折返し部６２の角度を変えることにより空間Ｓの体積変化を緩和することができる。
【００３９】
上記の内角θ１，θ２を鋭角にすると、可動封止部材６０ａの厚さ方向、またはこれに直交する方向の伸縮方向における伸縮代が大きくなり、振動への追従性が向上する。さらに、これらの内角θ１，θ２は、それぞれ２０°〜７０°程度であることが好ましい。内角θ１，θ２が７０°を超えると、伸縮代が小さくなってしまう傾向があるからである。一方、内角θ１，θ２が２０°未満の場合は、第１折返し端６１ａおよび第２折返し端６２ａのそれぞれにおいて、それらが大きく開くための力学的負荷が大きくなり、振動に対する追従性が低下しやすくなる傾向があるからである。
【００４０】
（第２実施形態）
図５は、第２実施形態における可動封止部材の拡大概略図である。本実施形態における可動封止部材６０ｂは、第１折返し部６３および第２折返し部６４のそれぞれが、曲線状を成して折り返している。
【００４１】
この場合、各折返し部における伸縮運動が円滑になり、振動体１３ａ，１３ｂ等に起因する振動に対する追従性をより向上させることができる。
【００４２】
（第３実施形態）
図６は、第３実施形態における可動封止部材の拡大概略図である。本実施形態における可動封止部材６０ｃは、第１折返し部６５および第２折返し部６６のうち、操作面１１ａに近い方の折返し端６５ａの内角θ１が、操作面１１ａに遠い方の折返し端６６ａの内角θ２よりも小さい。
【００４３】
この場合、折返し端の内角が小さい方（θ１）の第１折返し部６５が、内角が大きい方（θ２）の第２折返し部６６よりも伸縮代が大きくなるので、振動体１３ａ，１３ｂ等に起因する振動に対する追従性が良好である。つまり、振動に対する追従性が良好な折返し部の方が操作面１１ａにより近いので、可動封止部材６０ｃ全体として、振動に対する追従性をより向上させることができる。
【００４４】
本発明の実施形態に係る表示装置において、可動封止部材６０の内側の空間Ｓに液晶表示パネル２０が配置されており、可動封止部材６０が液晶表示パネル２０の保護部材として機能し、さらには防塵部材としても機能し得る。また、可動封止部材６０の内側の空間Ｓに、弾性支持部材５０ａ〜５０ｄ、振動体１３ａ，１３ｂが配置されていることが好ましく、可動封止部材６０がそれらの保護部材として機能し、さらには防塵部材としても機能し得る。なお、弾性支持部材５０ａ〜５０ｄ、振動体１３ａ，１３ｂは、必ずしも可動封止部材６０の内側の空間Ｓに配置されていなくてもよく、可動封止部材６０の外側に配置されていてもよい。
【００４５】
以上、本発明の実施形態について詳細に説明したが、本発明は上述の実施の形態に限定されるものではなく、本発明の要旨を逸脱しない範囲内において種々の変更、改良および上記実施形態の組み合わせ等が可能である。
【符号の説明】
【００４６】
１        液晶表示装置
１０      タッチパネル
１１      透明保護板
１１ａ    操作面
１１ｂ    裏面
１２      接触検知部
１３ａ，１３ｂ    振動体
２０      液晶表示パネル
２０ａ    表示面
２０ｂ    反表示面
２０ｃ    表示部
３０      バックライト装置
３１      導光板
３２      枠体
３３      導体板
４０      筐体
４０ａ    底面
４０ｂ    枠部
５０ａ，５０ｂ，５０ｃ，５０ｄ    弾性支持部材
６０，６０ａ，６０ｂ，６０ｃ    可動封止部材
６１，６３，６５    第１折返し部
６２，６４，６６    第２折返し部
６１ａ，６５ａ    第１折返し端
６２ａ，６６ａ    第２折返し端
θ１    内角
θ２    内角
Ｓ      空間
【図１】
2018169809.tif 000003
【図２】
2018169809.tif 000004
【図３】
2018169809.tif 000005
【図４】
2018169809.tif 000006
【図５】
2018169809.tif 000007
【図６】
2018169809.tif 000008